(57)【要約】【課題】商品を出し入れしやすく、簡単に箱組できる保冷段ボール箱。【解決手段】１枚の段ボールシートから、気密性のある箱形態に折り上げられるものであって、矩形状の底板の周縁に各一対の側面板及び端面板を連設し、隣接する側面板、端面板の端縁間には、斜折目Aを設けた補助板を跨設し、一方の側面板の上縁に上面板を連設し、他方の側面板の上縁に内面板を連設し、端面板の上縁に内フラップを連設すると共に、その両端縁に差込片を連設し、隣接する補助板、内フラップの端縁間には、斜折目Bを設けた連結板を跨設し、連結板には差込片を差し込む差込溝を設け、差込片を差込溝に差し込み、斜折目Aを逆折りすると、側面板及び端面板を斜外側に保持できるようにした。【選択図】図６
2006225013.tif 000002
【特許請求の範囲】
【請求項１】
１枚の段ボールシートから、気密性のある箱形態に折り上げられるものであって、矩形状の底板１の周縁に各一対の側面板２及び端面板３を連設し、隣接する前記側面板２、端面板３の端縁間には、斜折目Aを設けた補助板４を跨設し、一方の前記側面板２の上縁に上面板５を連設し、他方の前記側面板２の上縁に内面板６を連設し、前記端面板３の上縁に内フラップ７を連設すると共に、その両端縁に差込片８を連設し、隣接する前記補助板４、内フラップ７の端縁間には、斜折目Bを設けた連結板９を跨設し、前記連結板９には前記差込片８を差し込む差込溝１０を設け、前記差込片８を前記差込溝１０に差し込み、前記斜折目Aを逆折りすると、前記側面板２及び端面板３を斜外側に保持できるようにしたことを特徴とする保冷段ボール箱。
【発明の詳細な説明】
【技術分野】
【０００１】
この発明は、商品を出し入れしやすく、気密性に優れた保冷段ボール箱に関する。
【背景技術】
【０００２】
従来より、保冷用の段ボール箱３０は、底板３１の周縁に各一対の側面板３２、端面板３３を夫々連設し、隣接する側面板３２、端面板３３の端縁間には斜折目Aを設けた隅角片３４を跨設し、対向する側面板３２の上縁に蓋片３５を夫々連設し、隅角片３４の斜折目Aより側面板３２側部分を側面板３２に接着又はリベット等で貼り付け、梱包の際には、各連設部より夫々折り上げ箱状にし、商品を収納しているのである。（例えば、特許文献１）
【特許文献１】特開２００３−２８５８８３号公報
【発明の開示】
【発明が解決しようとする課題】
【０００３】
保冷用の段ボール箱に必要な気密性をよくするためには、上記のような斜折目を利用した形態が効果的であり又、簡単に箱組作業することができるが、上記のような箱組作業のよい形態にするためには、糊貼加工、リベット加工が必要となりコストアップの要因になる。
【０００４】
また、上記形態にて糊貼加工、リベット加工をなくせばコストダウンできるが、図８に示すように、斜折目Aより二つ折りにされた隅角片３４が、側面板３２、端面板３３のどちらにも接することができず、箱の内側に突起した状態となるために商品を収納しにくいのである。
【０００５】
上記問題点の隅角片３４が邪魔にならないようにする方法として、図９に示すように、端面板３３の上縁に折込片３６を連設し、二つ折りにされた隅角片３４を包み込みながら折込片３６を内側に折り曲げ固定する方法が考えられるが、折込片３６を追加することで使用材料が多くなり、コストアップの要因になる。
【０００６】
そこでこの発明は、1枚の段ボールシートから簡単に組み立てることができ、商品を出し入れしやすく、気密性に優れた保冷段ボール箱を提供する事を課題とする。
【課題を解決するための手段】
【０００７】
以上の課題を解決するための、本発明による段ボール保冷箱は、１枚の段ボールシートから、気密性のある箱形態に折り上げられるものであって、矩形状の底板の周縁に各一対の側面板及び端面板を連設し、隣接する前記側面板、端面板の端縁間には、斜折目Aを設けた補助板を跨設し、一方の前記側面板の上縁に上面板を連設し、他方の前記側面板の上縁に内面板を連設し、前記端面板の上縁に内フラップを連設すると共に、その両端縁に差込片を連設し、隣接する前記補助板、内フラップの端縁間には、斜折目Bを設けた連結板を跨設し、前記連結板には前記差込片を差し込む差込溝を設け、前記差込片を前記差込溝に差し込み、前記斜折目Aを逆折りすると、前記側面板及び端面板を斜外側に保持でき、商品を入れやすくしたのである。
【発明の効果】
【０００８】
糊貼加工、リベット加工を必要とせず、使用材料を抑えた1枚の段ボールシートから簡単に箱組でき、廃棄する場合にも、簡単に分解できる。
【０００９】
外気に触れないように気密性があるため保冷箱に適している。
【００１０】
側面板、端面板を斜外側に保持できるため、商品を入れやすく又、出しやすい形態である。
【発明を実施するための最良の形態】
【００１１】
本発明の実施例について、図１〜図７を参照しながら説明する。先ず、図１の保冷段ボール箱２０の展開図について説明する。矩形状の底板１の周縁に各一対の側面板２及び端面板３を折目a、bを介して夫々連設し、隣接する側面板２、端面板３の端縁間には、斜折目A（４５°）を設けた補助板４を折目c、dを介して夫々跨設し、一方の側面板２の上縁に折目eを介して上面板５を連設し、他方の側面板２の上縁に折目fを介して内面板６を連設し、端面板３の上縁に折目gを介して内フラップ７を夫々連設すると共に、その両端縁に折目hを介して差込片８を夫々連設し、隣接する補助板４、内フラップ７の端縁間には、斜折目B（４５°）を設けた連結板９を折目i、jを介して夫々跨設し、連結板９には差込片８を差し込む差込溝１０を設け、上面板５の上縁にロック片１１を連設し、内面板６に前記ロック片１１を差し込むロック溝１２を設けている。
【００１２】
上記のような展開図からなる保冷段ボール箱２０を図２に示すように、側面板２を折目aに沿って内側に折り曲げると同時に、折目c、iが折目aと一直線上にあるために補助板４、連結板９が折目c、iに沿って起立する。
【００１３】
そして、図３に示すように、連結板９を折目jに沿って内側に垂直に折り曲げながら斜折目Bを逆折りすることで、折目gより内フラップ７が内側に連行して起立してくるので、折目hに沿って差込片８を内側に折り曲げ、差込溝１０に差し込みロックする。
【００１４】
このとき、補助板４、内フラップ７は折目c、gに沿っては垂直になり、連結板９の斜折目Bより補助板４側は折目jに沿って垂直になり、内フラップ７側は内フラップ７に接するように二つ折りされる。
【００１５】
次に、図４に示すように、斜折目Aを逆折り（４５°）させることで、補助板４の斜折目Aより側面板２側が折目dに沿って内側に折れ曲がると同時に、端面板３が折目bに沿って内側に折れ曲がり連行して起立する。
【００１６】
このとき、先に内フラップ７両端縁の差込片８を差込溝１０に差し込み固定しているために、補助板４の斜折目Aより端面板３側は折目cに沿って垂直に固定され、側面板２を折目aに沿って外側に折り曲げても、一定（４５°）以上に外側に広がることができず、入り口を大きく設けた器のような形状を保持することができるので、商品が入れやすいのである。
【００１７】
上記のような状態で商品を底板１面に置き、端面板３を折目bに沿って垂直にすることにより、補助板４が斜折目Aより二つ折りされながら側面板２も同時に連行して起立する。
【００１８】
このとき、図５に示すように、補助板４の斜折目Aより端面板３側は折目cに沿って垂直に固定されているため、補助板４が内側に入らず、商品に掛かることがないので折り上げしやすい。
【００１９】
そして、側面板２、端面板３が垂直に起立したら、図６に示すように、内面板６を折目fに沿って内側に折り曲げ、上面板５を折目cに沿って内面板６に被せるように折り曲げ、ロック片１１をロック溝１２に差し込むことで蓋面を閉止することができる。
【００２０】
最後に、図７に示すように、上面板５の周縁に側面板２、端面板３上縁との隙間を塞ぐように粘着テープ４０を貼り付ければ、保冷段ボール箱２０を完成することができる。
【００２１】
以上のように、保冷段ボール箱２０の角、稜は、折目a〜jで構成され、蓋面には粘着テープ４０を貼り付けるので外気が進入する隙間がなく、気密性に優れた構造となるのである。
【図面の簡単な説明】
【００２２】
【図１】本発明の保冷段ボール箱の展開図である。
【図２】側面板を折り上げた状態を示す斜視構成図である。
【図３】差込片を差込溝に挿入する過程を示す斜視構成図である。
【図４】商品を置く前の状態を示す斜視構成図である。
【図５】端面板を起立させる状態を示す斜視構成図である。
【図６】蓋面を閉止した状態を示す斜視構成図である。
【図７】蓋面に粘着テープを貼り付けた状態を示す斜視構成図である。
【図８】隅角片が邪魔で商品が入れにくい状態を示す斜視構成図である。
【図９】折込片を追加した従来の保冷段ボール箱の展開図である。
【符号の説明】
【００２３】
１  底板
２  側面板
３  端面板
４  補助板
５  上面板
６  内面板
７  内フラップ
８  差込片
９  連結板
１０  差込溝
１１  ロック片
１２  ロック溝
２０  保冷段ボール箱
４０  粘着テープ
A、B  斜折目
ａ〜j  折目
【図１】
2006225013.tif 000003
【図２】
2006225013.tif 000004
【図３】
2006225013.tif 000005
【図４】
2006225013.tif 000006
【図５】
2006225013.tif 000007
【図６】
2006225013.tif 000008
【図７】
2006225013.tif 000009
【図８】
2006225013.tif 000010
【図９】
2006225013.tif 000011